(57)【要約】掃除機本体に係止された集塵ケースのハンドルを持って掃除機本体を持ち運ぶときに、集塵ケースと掃除機本体との係止を解除するロック解除ボタンが誤って操作されることを防止する、安全で使い勝手のよい電気掃除機を提供する。本体吸気口（２ａ）に連通した集塵室（１０）と送風室（２０）を有する掃除機本体（１）と、集塵室（１０）に着脱自在に収容される集塵ケース（９）と、送風室（２０）内に設置される吸引ファンモータ（２１）と、集塵ケース（９）を掃除機本体（１）に係止するロック機構（３０）と、集塵ケース（９）に設けられるとともに集塵ケース（９）が掃除機本体（１）に係止された状態で把持されるハンドル（１６）と、ロック機構（３０）の係止を解除する解除手段（３１）と、解除手段（３１）を覆うように開閉自在に設けられると共に解除手段（３１）の操作を防止する解除防止手段（３４）とを備えた。
2012157346.tif 000002
【特許請求の範囲】
【請求項１】
本体吸気口に連通した集塵室と送風室を有する掃除機本体と、
前記集塵室に着脱自在に収容される集塵ケースと、
前記送風室内に設置される吸引ファンモータと、
前記集塵ケースを前記掃除機本体に係止するロック機構と、
前記集塵ケースに設けられるとともに前記集塵ケースが前記掃除機本体に係止された状態で把持されるハンドルと、
前記ロック機構の係止を解除する解除手段と、
前記解除手段を覆うように開閉自在に設けられると共に前記解除手段の操作を防止する解除防止手段とを備えた電気掃除機。
【請求項２】
前記解除防止手段は、一端側が回動自在に枢支されたことを特徴とする請求項１記載の電気掃除機。
【請求項３】
前記解除防止手段は、開成時に係止され、前記ロック機構の係止を解除するように前記解除手段を操作するときに前記解除防止手段の係止が解除されることを特徴とする請求項２に記載の電気掃除機。
【請求項４】
前記解除防止手段は、摺動自在に支持されたことを特徴とする請求項１記載の電気掃除機。
【請求項５】
前記解除防止手段を閉成する方向に付勢する弾性体を備えたことを特徴とする請求項１乃至請求項４のいずれか１項に記載の電気掃除機。
【請求項６】
前記解除防止手段を透明な素材で構成したことを特徴とする請求項１乃至請求項５のいずれか１項に記載の電気掃除機。
【発明の詳細な説明】
【技術分野】
【０００１】
本発明は、掃除機本体に着脱自在の集塵ケースにハンドルを有する電気掃除機に関するものである。
【背景技術】
【０００２】
従来の電気掃除機は、掃除機本体に着脱自在な集塵ケースを設けているものがある。集塵方式としてはサイクロン式や紙パック式が広く用いられている。いずれの方式においても、集塵ケースを掃除機本体から取り外してゴミ捨てを行なうのが一般的である。【０００３】
集塵ケースを掃除機本体から取り外してゴミ捨てを行うために、集塵ケースに持ち運び用のハンドルや取っ手が設けられる。なお、掃除機本体を持ち運ぶ際、掃除機本体側に持ち運び用のハンドルや取っ手を設けてもよい。しかし、集塵ケースに設けたハンドルや取っ手を把持して、集塵ケースが掃除機本体に装着された状態で掃除機本体の持ち運びを行うことにより、掃除機本体に設けるハンドルや取っ手を無くせば、掃除機本体が小型化でき、使用者にとって使いやすいものとなる。【０００４】
集塵ケースが掃除機本体に装着された状態で、集塵ケースのハンドルや取っ手を把持して掃除機本体を持ち運ぶときに、集塵ケースから掃除機本体が外れて落下しないように、集塵ケースを掃除機本体に固定するロック機構が設けられる。しかし、ロック機構の係止を解除するロック解除ボタンが誤って押されてしまうと、掃除機本体が集塵ケースから外れて落下し、床にキズをつけてしまう虞があった。これに対し、ロック解除ボタンの位置をロック機構の設けられる位置から離れた位置に設け、ロック解除ボタンを誤って操作しにくくすることが考えられるが、使い勝手が悪いという課題がある。そこで、ロック解除ボタンをロック機構に近接して配置するとともに、集塵ケースの取っ手を把持して掃除機本体を持ち上げたときに、集塵ケースとロック解除ボタンが掃除機本体に対し相対的にわずかに上方へ移動し、ロック解除ボタンの後面が掃除機本体側と干渉することにより、集塵ケースと掃除機本体とのロック解除ボタンを押せない構造としているものがある（例えば、特許文献１参照）。
【先行技術文献】
【特許文献】
【０００５】
【特許文献１】日本特表２０１０−５０００６７(７頁、図６)
【発明の概要】
【発明が解決しようとする課題】
【０００６】
しかしながら上記の従来の構造では、ロック解除時に取っ手を把持すると、取っ手が上方向に移動する方向に力が働いてしまいやすい構造となっているため、取っ手が上方向に移動するとロック解除ボタンを操作できず、使い勝手が悪いという課題があった。【０００７】
本発明は、前述のような課題を解決するためになされたものであり、集塵ケースに設けたハンドルを把持して掃除機本体も持ち運びできるとともに、掃除機本体を持ち運ぶときに、集塵ケースと掃除機本体との係止を解除するロック解除ボタンが誤って操作されることを防止する、安全で使い勝手のよい電気掃除機を提供することを目的とする。
【課題を解決するための手段】
【０００８】
本発明の電気掃除機は、本体吸気口に連通した集塵室と送風室を有する掃除機本体と、集塵室に着脱自在に収容される集塵ケースと、送風室内に設置される吸引ファンモータと、集塵ケースを掃除機本体に係止するロック機構と、集塵ケースに設けられるとともに集塵ケースが掃除機本体に係止された状態で把持されるハンドルと、ロック機構の係止を解除する解除手段と、解除手段を覆うように開閉自在に設けられると共に解除手段の操作を防止する解除防止手段とを備えたものである。
【発明の効果】
【０００９】
本発明によれば、集塵ケースに設けたハンドルを把持して掃除機本体も持ち運びできるとともに、掃除機本体が集塵ケースから外れて落下し床面を傷つけることを防止できる。
【図面の簡単な説明】
【００１０】
【図１】本発明の実施の形態１に係る電気掃除機の外観を示す斜視図である。
【図２】本発明の実施の形態１に係る電気掃除機の集塵ケースを示す正面図、側面図および断面図である。
【図３】本発明の実施の形態１に係る掃除機本体の中央断面図である。
【図４】図３のＡ部拡大図である。
【図５】図４における掃除機本体と集塵ケースとの嵌合を示す断面図である。
【図６】図３のＢ部拡大図である。
【図７】図６における掃除機本体と集塵ケースとの係止を解除する動作を説明する図である。
【図８】本発明の実施の形態２に係る電気掃除機のスライドカバーの閉成状態の構成を説明する図である。
【図９】本発明の実施の形態２に係る電気掃除機のスライドカバーの開成状態の構成を説明する図である。
【図１０】本発明の実施の形態３に係る電気掃除機の回転カバーの開成状態（仮固定時）の構成を説明する図である。
【図１１】図１０におけるロック部の横断面図である。
【図１２】図１１においてレバーを操作して回転カバーの仮固定状態が解除される動作を説明する横断面図である。
【発明を実施するための形態】
【００１１】
実施の形態１．
集塵方式としてサイクロン式集塵方式を例にとり説明する。本発明は、サイクロン式集塵方式にかぎらず、紙パック集塵方式の場合にも適用できる。
図１は、本発明の実施の形態１に係る電気掃除機の外観を示す斜視図である。図２は、本発明の実施の形態１に係る電気掃除機の集塵ケースであるサイクロン式集塵部を示す正面図、側面図および断面図である。図３は、本発明の実施の形態１に係る掃除機本体の中央断面図である。図４は、図３のＡ部拡大図である。図５は、図４における掃除機本体と集塵ケースとの嵌合を示す断面図である。図６は、図３のＢ部拡大図である。図７は、図６における掃除機本体と集塵ケースとの係止を解除する動作を説明する図である。
【００１２】
図１に示すように、電気掃除機１００において、掃除機本体１の前部にあるホース差込口２に、軟質の蛇腹ホース３の端部にホース差込部４と他端にホース手元部５を持つ延長ホース部６のホース差込部４を接続し、前記ホース手元部５に延長パイプ７を接続し、さらに吸込具８を接続した状態が通常使用状態である。床面等の塵埃は空気と共に吸込具８から吸引され、延長パイプ７、延長ホース部６のホース手元部５からホース差込部４を経由してホース差込口２より掃除機本体１へと導かれる。
【００１３】
掃除機本体１は、ホース差込口２から本体吸気口２ａを経由して連通し、集塵ケースであるサイクロン式集塵部９が収容される集塵室１０と、送風室２０を有する。送風室２０内には吸引ファンモータ２１が設けられる。
【００１４】
サイクロン式集塵部９は掃除機本体１の上部に着脱自在に設けられる。吸込具８から吸引された塵埃を含む空気は、延長パイプ７、蛇腹ホース３、ホース差込部４、本体吸気口２ａから掃除機本体１の上部に設けられた筒部２ｂを通って、サイクロン式集塵部９の吸引口９ａより吸引し、第一の遠心分離筒１１と第二の遠心分離筒１３で分離して塵埃を集塵ケース内に蓄積する。
【００１５】
図２（ａ）、（ｂ）及び（ｃ）は、それぞれ、サイクロン式集塵部９の正面図、側面図及び断面図である。サイクロン式集塵部９は、第一の遠心分離筒１１の中心軸Ａ１２及び第二の遠心分離筒１３の中心軸Ｂ１４と略平行になるように配置されており、分離した塵埃を溜めるための集塵ケース内集塵室１５を備えている。
【００１６】
ハンドル１６は、サイクロン式集塵部９の前面側上面に設けられ、掃除機本体１及びサイクロン式集塵部９の持ち運び共用である。すなわち、後述するように、サイクロン式集塵部９内の集塵室１０に溜まった塵埃をゴミ箱に廃棄する場合、サイクロン式集塵部９を掃除機本体１から取り外し、ハンドル１６を把持してサイクロン式集塵部９をゴミ箱の上方まで移動し、集塵ケース内集塵室１５に溜まった塵埃をゴミ箱に廃棄する。また、掃除機本体１に係止された状態でハンドル１６を把持することにより、掃除機本体１を持ち運びできる。
【００１７】
サイクロン式集塵部９の長手方向を中心軸Ａ１２及び中心軸Ｂ１４と沿う方向にそろえ、第一の遠心分離部１１の外径と第二の遠心分離部１３の外径とで作られる谷間１７をハンドル下部の手かけスペースとして利用している。そのため、ハンドル１６のサイクロン式集塵部９からの突出量を最低限に抑えることが出来て、掃除機本体のサイズも最小限で抑えられる。
【００１８】
図３は掃除機本体１にサイクロン式集塵部９がセットされた状態の中央断面図である。図４は、図３のＡ部、すなわち、後述する掃除機本体１とサイクロン式集塵部９の前端とを係止する被係止部Ａ１８と係止部Ｂ１９近傍の拡大図である。図５は被係止部Ａ１８と係止部Ｂ１９の係止を示す断面図である。図６は、図３におけるＢ部、すなわち、後述する掃除機本体１とサイクロン式集塵部９の後端とを係止するロック部３０の近傍を示す断面図である。図７はロック部３０の係止を解除する動作を説明する断面図である。
【００１９】
サイクロン式集塵部９は、掃除機本体１より取り外して集塵ケース内集塵室１５に溜まった塵埃を捨て、再び掃除機本体１に取付けられるように、サイクロン式集塵部９の一端の被係止部Ａ１８が掃除機本体１側の係止部Ｂ１９に係止されることにより固定される。ここで、図５に示すように、被係止部Ａ１８の下端は凸状の形状をなし、係止部Ｂ１９は凹状の形状をなす。係止部Ｂ１９の寸法は被係止部Ａ１８の下端の凸部の寸法より大きく、サイクロン式集塵部９は係止部Ｂ１９を支点として、図５の紙面内の方向に若干回動可能となっている。また、サイクロン式集塵部９の他端側には、ロック機構であるロック部３０を備え、サイクロン式集塵部９が掃除機本体１と着脱自在で固定される構造となっている。
【００２０】
図６に示すように、ロック部３０は、レバー３１と、ラッチ３２と、ラッチ係止部３３と、回転カバー３４とから構成される。レバー３１は、サイクロン式集塵部９側に設けられ、斜め上下方向に摺動自在に支持され、掃除機本体１とサイクロン式集塵部９との係止を解除する解除手段である。ラッチ３２は、サイクロン式集塵部９側に設けられ、レバー３１の動きに連動して回動自在に支持される。ラッチ係止部３３は、掃除機本体１側に設けられ、ラッチ３２と係止されることにより、サイクロン式集塵部９が掃除機本体１に係止される。回転カバー３４は、サイクロン式集塵部９側に設けられ、レバー３１を覆うように回動自在に支持され、レバー３１の誤操作を防止する解除防止手段である。
【００２１】
レバー３１は、レバー３１の上面３１ａが固定カバー３５の裏面３５ａと摺動し、レバー３１の下端の下面３１ｂがサイクロン式集塵部９側の面２２と摺動する。レバー３１の下端には楔状の斜面３１ｃを有する。レバー３１は、レバー用バネ３７により図６の右下方向に付勢される。
【００２２】
ラッチ３２は、図６の紙面内の方向に回動自在に支持される。ラッチ３２は、ラッチ用バネ３６により反時計方向に付勢される。ラッチ３２の上端には楔形状の斜面３２ａを有し、レバー３１の斜面３１ｃと対向する。
【００２３】
回転カバー３４は、先端部３４ｃがレバー３１を覆うように回動自在に設けられる。回転カバー３４は回転軸３４ａの周りに枢支され、回転軸３４ａの周りに、例えば巻きバネのような弾性体である回転カバー用バネ３４ｂが設けられる。回転カバー用バネ３４ｂの一端は固定カバー３５側に係止され、他端は回転カバー３４側に係止され、レバー３１を覆う方向（図６の紙面において反時計方向）に付勢される。
【００２４】
次に、サイクロン集塵部９と掃除機本体１との着脱の動作について説明する。
サイクロン集塵部９が掃除機本体１に装着された状態において、サイクロン式集塵部９の前方では、サイクロン式集塵部９側に設けられた被係止部Ａ１８が掃除機本体１側に設けられた係止部Ｂ１９と係止される。一方、サイクロン式集塵部９の後方のロック部３０においては、フック３２がラッチ係止部３３に係止される。このとき、ロック部３０の係止を解除するレバー３１の上方は回転カバー３４に覆われているため、使用者の指をレバー３１に掛けて操作することができない。このように、使用者がハンドル１６を把持して掃除機本体１を運搬中に誤ってレバー３１を操作することができないので、掃除機本体１がサイクロン式集塵部９から外れて床面を傷つけることを防止できる。
【００２５】
次に、ゴミを捨てるために、サイクロン集塵部９を掃除機本体１から取り外す場合は、図７に示すように、操作者は一方の手でサイクロン式集塵部９のハンドル１６を把持し、回転カバー３４の先端部３４ｃに他方の手の指を掛け、回転カバー３４を、回転カバー用バネ３４ｂの弾性力に抗して矢印Ｃの方向に回転する。すると、レバー３１と回転カバー３４との間に隙間が生じるので、ここに指を挿入することができる。
【００２６】
レバー３１と回転カバー３４との隙間に挿入した指をレバー３１に掛け、レバー３１をレバー用バネ３７の弾性力に抗して矢印Ｄの方向に移動する。レバー３１の移動に伴ってレバー３１の斜面３１ｃがラッチ３２の斜面３２ａを押し上げ、ラッチ３２はラッチ用バネ３６の弾性力に抗して矢印Ｅの方向に回転する。ラッチ３２が回転すると、ラッチ係止部３３とラッチ３２との係止が解除される。すなわち、サイクロン式集塵部９のロック部３０の係止が解除される。
【００２７】
サイクロン式集塵部９のロック部３０の係止が解除された状態で、サイクロン式集塵部９を矢印Ｄの方向に移動すると、サイクロン式集塵部９が係止部Ｂ１９を支点として回転する（図４参照）。そして、ラッチ３２の下端がラッチ係止部３３の上端を越える位置まで回転したところで、レバー３１に掛けた指の力を抜くと、レバー３１はレバー用バネ３７の弾性力により矢印Ｄと反対の方向に移動して最初の位置に戻る。レバー３１の移動によりレバー３１の斜面３１ｃがラッチ３２の斜面３２ａの下方に移動する。これに伴ってラッチ３２はラッチ用バネ３６の弾性力により矢印Ｅと逆方向に回転し、レバー３１の斜面３１ｃとラッチ３２の斜面３２ａとが当接する状態となったところで回転が停止する。すなわち、ラッチ３２の下端がラッチ係止部３３の上方の位置で回転が停止することになる。
【００２８】
レバー３１が最初の位置に戻ったところで、指をレバー３１と回転カバー３４との隙間から引き抜く。すると、回転カバー３４は回転カバー用バネ３４ｂの弾性力により矢印Ｃと反対の方向に回転し、回転カバー３４がレバー３１を覆う最初の位置に戻る。
【００２９】
ラッチ３２の下端がラッチ係止部３３の上端を越える位置まで回転したところで、サイクロン式集塵部９を斜め後方（図７の右上方向）に引き抜くことにより、サイクロン式集塵部９の被係止部Ａ１８と掃除機本体１の係止部Ｂ１９との係止が解除され、サイクロン式集塵部９を掃除機本体１から取り外すことができる。
【００３０】
最後に、サイクロン式集塵部９を掃除機本体１に装着する場合は、図５に示すように、まず、サイクロン式集塵部９の後部を掃除機本体１から離間した状態で、サイクロン式集塵部９の被係止部Ａ１８を掃除機本体１の係止部Ｂ１９に嵌めこむ。
【００３１】
次に、係止部Ｂ１９を支点として、サイクロン式集塵部９を時計方向に回転して、サイクロン式集塵部９の後方を掃除機本体１に近づける。このとき、まず、ラッチ３２の斜面３２ｂがラッチ係止部３３の斜面３３ａと当たり、サイクロン式集塵部９が時計方向に回転されるとともに、ラッチ用バネ３６の弾性力に抗してラッチ３２が矢印Ｅの方向に回転する。そして、ラッチ３２がラッチ係止部３３を乗り越えると、ラッチ３２はラッチ用バネ３６の弾性力により矢印Ｅと反対の方向に回転し、ラッチ３２の面３３ｂがラッチ係止部３３の面３３ｂと当接する。つまり、図６に示す状態で、ラッチ３２がラッチ係止部３３に係止される。このように、サイクロン式集塵部９が掃除機本体１に係止される。
【００３２】
このように、回転カバー３４は、一端側が回動自在に枢支されるので、簡単な構造でレバー３１を覆うことができ、レバー３１の誤操作を防止することができる。また、回転カバー３４を閉じる方向に付勢する回転カバー用バネ３４ｂを備えたので、レバー３１の操作を行ったあとは回転カバー３４がレバー３１を覆うことができ、使い勝手がよくなる。また、レバー３１を操作しない通常の状態で回転カバー３４がレバー３１を覆うので、レバー３１が露出せず、デザイン性が向上する。特に、回転カバー３４とその周囲のサイクロン式集塵部９の色を同じにすれば、回転カバー３４が目立たず、デザイン性が一層向上する。
【００３３】
また、回転カバー３４を透明な素材であるポリエチレン樹脂やＡＢＳ樹脂等で構成すれば、使用者はレバー３１の位置を容易に視認でき、使い勝手がよくなる。
【００３４】
以上のように、実施の形態１における電気掃除機１００によれば、掃除機本体１の持ち運びとサイクロン式集塵部９の持ち運びが同じハンドル１６で兼用できるので、小型化、軽量化できる。また、通常の状態で回転カバー３４がレバー３１を覆うので、ハンドル１６を用いて掃除機本体１を持ち運ぶ時に、誤ってレバー３１が操作されてしまう心配がない。このため、掃除機本体１が落下する心配が無く安全に使用することができる。また、従来、誤操作などを避けるためにレバー３１を掃除機本体１持ち運び時に解除されてしまう恐れのない場所に配置していたが、回転カバー３４を開動させるだけでレバー３１を操作でき、使用者の使い勝手の良い場所にレバー３１を配置することが出来るので、レバーを隠すことによりデザイン性も良い電気掃除機を提供することができる。
【００３５】
このように、実施の形態１の電気掃除機では、本体吸気口に連通した集塵室と送風室を有する掃除機本体と、集塵室に着脱自在に収容される集塵ケースと、送風室内に設置される吸引ファンモータと、集塵ケースを前記掃除機本体に係止するロック機構と、集塵ケースに設けられるとともに前記集塵ケースが前記掃除機本体に係止された状態で把持されるハンドルと、ロック機構の係止を解除する解除手段と、解除手段を覆うように開閉自在に設けられると共に前記解除手段の操作を防止する解除防止手段とを備えたので、集塵ケースに設けたハンドルを把持して掃除機本体も持ち運びできるとともに、掃除機本体が集塵ケースから外れて落下し床面を傷つけることを防止できる。
【００３６】
また、解除防止手段は、一端側が回動自在に枢支されるので、簡単な構造で解除手段を覆うことができ、解除手段の誤操作を防止することができる。
【００３７】
また、解除防止手段を閉じる方向に付勢する弾性体を備えたので、解除手段の操作を行ったあとは解除防止手段が解除手段を覆うことができ、使い勝手がよくなる。また、解除手段を操作しない通常の状態で解除手段を覆うので、解除手段が露出せず、デザイン性が向上する。
【００３８】
また、解除防止手段を透明な素材で構成したので、使用者は解除手段の位置を容易に視認でき、使い勝手がよくなる。
【００３９】
実施の形態２．
解除防止手段として実施の形態１では一端側が回動自在に枢支された回転カバーを用いたが、実施の形態２では摺動自在に支持されたスライドカバーとするものである。その他の構成は実施の形態１と同様であり、同一の構成については同一の符号を付して詳細な説明は省略する。
図８は、本発明の実施の形態２に係る電気掃除機の誤操作防止カバーの閉成状態の構成を説明する図である。図９は、本発明の実施の形態２に係る電気掃除機の誤操作防止カバーの開成状態の構成を説明する図である。
【００４０】
図８に示すように、ロック部３０は、レバー３１と、ラッチ３２と、ラッチ係止部３３と、スライドカバー３８とから構成される。スライドカバーカバー３８はサイクロン式集塵部９側に設けられ、先端部３８ａがレバー３１を覆うように摺動自在に支持され、レバー３１の誤操作を防止する解除防止手段である。
【００４１】
スライドカバー３８は、サイクロン式集塵部９に一体的に設けられたカバー保持部３９と固定カバー３５の表面３５ｂとの間に摺動自在に設けられる。すなわち、スライドカバー３８は、スライドカバー３８の上面３８ｂがカバー保持部３９の裏面３９ａと、スライドカバー３８の底面３８ｃが固定カバー３５の表面３５ｂと、スライドカバー３８の両側面がカバー保持部３９の内部の両側面と摺動する（図示せず）。スライドカバー３８は、カバー保持部３９の内部に設けられたスライドカバー用バネ４０により、矢印Ｆの方向に付勢される。
【００４２】
次に、サイクロン集塵部９と掃除機本体１との着脱の動作について説明する。
ゴミを捨てるために、サイクロン集塵部９を掃除機本体１から取り外す場合は、図８に示すように、操作者は一方の手でサイクロン式集塵部９のハンドル１６を把持し、スライドカバー３８の先端部３８ａに他方の手の指を掛け、スライドカバー３８を、スライドカバー用バネ４０の弾性力に抗して矢印Ｆと反対の方向に移動する。すると、レバー３１とスライドカバー３８との間に隙間が生じるので、ここに指を挿入することができる（図９参照）。
【００４３】
レバー３１とスライドカバー３８との隙間に挿入した指をレバー３１に掛け、レバー３１をレバー用バネ３７の弾性力に抗して矢印Ｄの方向に移動する。図７に示すように、レバー３１の移動に伴ってレバー３１の斜面３１ｃがラッチ３２の斜面３２ａを押し上げ、ラッチ３２はラッチ用バネ３６の弾性力に抗して矢印Ｅの方向に回転する。ラッチ３２が回転すると、ラッチ係止部３３とラッチ３２との係止が解除される。すなわち、サイクロン式集塵部９のロック部３０の係止が解除される。
【００４４】
サイクロン式集塵部９のロック部３０の係止が解除された状態で、サイクロン式集塵部９を矢印Ｄの方向に移動すると、サイクロン式集塵部９が係止部Ｂ１９を支点として回転する（図４参照）。そして、ラッチ３２の下端がラッチ係止部３３の上端を越える位置まで回転したところで、レバー３１に掛けた指の力を抜くと、レバー３１はレバー用バネ３７の弾性力により矢印Ｄと反対の方向に移動して最初の位置に戻る。レバー３１の移動によりレバー３１の斜面３１ｃがラッチ３２の斜面３２ａの下方に移動する。これに伴ってラッチ３２はラッチ用バネ３６の弾性力により矢印Ｅと逆方向に回転し、レバー３１の斜面３１ｃとラッチ３２の斜面３２ａとが当接する状態となったところで回転が停止する。すなわち、ラッチ３２の下端がラッチ係止部３３の上方の位置で回転が停止することになる。
【００４５】
レバー３１が最初の位置に戻ったところで、指をレバー３１とスライドカバー３８との隙間から引き抜く。すると、スライドカバー３８はスライドカバー用バネ４０の弾性力により矢印Ｆの方向に移動し、スライドカバー３８がレバー３１を覆う最初の位置に戻る。  
【００４６】
ラッチ３２の下端がラッチ係止部３３の上端を越える位置まで回転したところで、サイクロン式集塵部９を斜め後方（図７の右上方向）に引き抜くことにより、サイクロン式集塵部９の被係止部Ａ１８と掃除機本体１の係止部Ｂ１９との係止が解除され、サイクロン式集塵部９を掃除機本体１から取り外すことができる。
【００４７】
最後に、サイクロン式集塵部９を掃除機本体１に装着する場合については、実施の形態１に記載した動作と同じである。
【００４８】
このように、スライドカバー３８は、摺動自在に枢支されるので、簡単な構造でレバー３１を覆うことができ、レバー３１の誤操作を防止することができる。また、開閉時の解除防止手段の移動軌跡は、解除防止手段を回転カバー３４で構成した場合と比較し、スライドカバー３８の方が小さく、使い勝手がよい。また、スライドカバー３８を閉じる方向に付勢するスライドカバー用バネ４０を備えたので、レバー３１の操作を行ったあとはスライドカバー３８がレバー３１を覆うことができ、使い勝手がよくなる。また、レバー３１を操作しない通常の状態でスライドカバー３８がレバー３１を覆うので、レバー３１が露出せず、デザイン性が向上する。特に、スライドカバー３８とその周囲のサイクロン式集塵部９の色を同じにすれば、スライドカバー３８が目立たず、デザイン性が一層向上する。
【００４９】
また、スライドカバー３８を透明な素材であるポリエチレン樹脂やＡＢＳ樹脂等で構成すれば、使用者はレバー３１の位置を容易に視認でき、使い勝手がよくなる。
【００５０】
以上のように、実施の形態２における電気掃除機１００によれば、掃除機本体１の持ち運びとサイクロン式集塵部９の持ち運びが同じハンドル１６で兼用できるので、小型化、軽量化できる。また、通常の状態でスライドカバー３８がレバー３１を覆うので、ハンドル１６を用いて掃除機本体１を持ち運ぶ時に誤ってレバー３１が操作されてしまう心配がない。このため、掃除機本体１が落下する心配が無く安全に使用することができる。また、従来、誤操作などを避けるためにレバー３１を掃除機本体１持ち運び時に解除されてしまう恐れのない場所に配置していたが、スライドカバー３８を開動させるだけでレバー３１を操作でき、使用者の使い勝手の良い場所にレバー３１を配置することが出来るので、レバーを隠すことによりデザイン性も良い電気掃除機を提供することができる。
【００５１】
このように、実施の形態２の電気掃除機では、本体吸気口に連通した集塵室と送風室を有する掃除機本体と、集塵室に着脱自在に収容される集塵ケースと、送風室内に設置される吸引ファンモータと、集塵ケースを前記掃除機本体に係止するロック機構と、集塵ケースに設けられるとともに前記集塵ケースが前記掃除機本体に係止された状態で把持されるハンドルと、ロック機構の係止を解除する解除手段と、解除手段を覆うように開閉自在に設けられると共に前記解除手段の操作を防止する解除防止手段とを備えたので、集塵ケースに設けたハンドルを把持して掃除機本体も持ち運びできるとともに、掃除機本体が集塵ケースから外れて落下し床面を傷つけることを防止できる。
【００５２】
また、解除防止手段は、摺動自在に支持されるので、簡単な構造で解除手段を覆うことができ、解除手段の誤操作を防止することができる。
【００５３】
また、解除防止手段を閉じる方向に付勢する弾性体を備えたので、解除手段の操作を行ったあとは解除防止手段が解除手段を覆うことができ、使い勝手がよくなる。また、解除手段を操作しない通常の状態で解除手段を覆うので、解除手段が露出せず、デザイン性が向上する。
【００５４】
また、解除防止手段を透明な素材で構成したので、使用者は解除手段の位置を容易に視認でき、使い勝手がよくなる。
【００５５】
実施の形態３．
解除防止手段として実施の形態１では一端側が回動自在に枢支された回転カバーを用いたが、実施の形態３の電気掃除機では、実施の形態１の構成に加え、回転カバーの開成時に回転カバーが開成位置で仮固定され、開成状態を維持するとともに、レバーを操作したときに回転カバーの仮固定状態が解除されるものである。その他の構成は実施の形態１と同様であり、同一の構成については同一の符号を付して詳細な説明は省略する。
【００５６】
図１０は、本発明の第３の実施の形態における電気掃除機の回転カバーの開成状態（仮固定時）の構成を説明する図である。図１１は、図１０におけるロック部の横断面図である。図１２は、図１１においてレバーを操作して回転カバーの仮固定状態が解除される動作を説明する横断面図である。なお、図６に示した本発明の第３の実施の形態と、バネ２１に支持された解除ボタンカバー１９をスライドして開動させる機構としたスライド式解除ボタンカバー２２以外は同様の構成を有するものであり、同一の構成については同一の符号を付して詳細な説明は省略する。また、図１０はスライド式解除ボタンカバー２１を開動させた状態の側断面図である。
【００５７】
図１０に示すように、解除防止手段である回転カバー４１の一方の側面に仮固定片４１ａが設けられる。仮固定片４１ａはその両側に切欠４１ｃが設けられ、先端部に回転カバー４１の内側方向に突出した爪部４１ｂが設けられる。爪部４１ｂは、切欠４１ｃにより、仮固定片４１ａが設けられる回転カバー４１の側面に対し直交する方向に弾性変形が可能となっている。ラッチ４３の下端には、爪部４１ｂが係止される被係止部が設けられる。
【００５８】
次に、回転カバーの動作について説明する。
図１０に示すように、回転カバー４１を開成すると、回転カバー４１の回転移動に連動して爪部４１ｂが回転移動する。ラッチ４３下端の被係止部４３ａに係止されるまでは、爪部４１ｂは回転カバー４１の外側方向に弾性変形して、ラッチ４３の側面に乗り上げて摺動し、被係止部４３ａの位置でラッチ４３の下端に嵌るように係止される。この状態で回転カバー４１の開成状態が維持される。
【００５９】
次に、レバー３１を図７の矢印Ｄの方向に移動すると、レバー３１の移動に連動してラッチ３２が上方に移動し、ラッチ３２の下端に係止されていた爪部４１ｂが開放される。すると、回転カバー４１は回転カバー用バネ３４ｂの弾性力により回転カバー４１を閉じる方向（図７の矢印Ｃと逆方向）に回転する。そして、回転カバー４１はレバー３１の上方を覆う状態が維持される。
【００６０】
このように、実施の形態３のロック機構３０において、回転カバー４１は、開成時に回転カバー４１の開成状態が維持されるので、操作者はレバー３１と回転カバー４１との隙間に指を挿入しやすくなり、使い勝手が向上する。また、レバー３１の操作時に前記解除防止手段の係止が解除されるので、操作者が回転カバー４１を閉じる操作をする必要がなく、使い勝手が向上する。
【００６１】
以上のように、実施の形態３の電気掃除機１００によれは、掃除機本体１の持ち運びとサイクロン式集塵部９の持ち運びが同じハンドル１６で兼用できるので、小型化、軽量化できる。また、回転カバー４１がレバー３１上方を覆う状態が維持されるので、ハンドル１６を用いて掃除機本体１を持ち運ぶ際に、誤ってレバー３１が操作されてしまう心配がない。このため、掃除機本体１が落下する心配が無く安全に使用することができる。また、従来、誤操作などを避けるためにレバー３１を掃除機本体１持ち運び時に解除されてしまう恐れのない場所に配置していたが、回転カバー３４を開動させるだけでレバー３１を操作でき、使用者の使い勝手の良い場所にレバー３１を配置することが出来るので、レバーを隠すことによりデザイン性も良い電気掃除機を提供することができる。
【００６２】
このように、実施の形態３の電気掃除機では、本体吸気口に連通した集塵室と送風室を有する掃除機本体と、集塵室に着脱自在に収容される集塵ケースと、送風室内に設置される吸引ファンモータと、集塵ケースを前記掃除機本体に係止するロック機構と、集塵ケースに設けられるとともに前記集塵ケースが前記掃除機本体に係止された状態で把持されるハンドルと、ロック機構の係止を解除する解除手段と、解除手段を覆うように開閉自在に設けられると共に前記解除手段の操作を防止する解除防止手段とを備えたので、集塵ケースに設けたハンドルを把持して掃除機本体も持ち運びできるとともに、掃除機本体が集塵ケースから外れて落下し床面を傷つけることを防止できる。
【００６３】
また、解除防止手段は、一端側が回動自在に枢支されるので、簡単な構造で解除手段を覆うことができ、解除手段の誤操作を防止することができる。
【００６４】
また、解除防止手段を閉じる方向に付勢する弾性体を備えたので、解除手段の操作を行ったあとは解除防止手段が解除手段を覆うことができ、使い勝手がよくなる。また、解除手段を操作しない通常の状態で解除手段を覆うので、解除手段が露出せず、デザイン性が向上する。
【００６５】
また、解除防止手段を透明な素材で構成したので、使用者は解除手段の位置を容易に視認でき、使い勝手がよくなる。
【００６６】
さらに、解除防止手段は、開成時に係止され、ロック機構の係止を解除するように解除手段を操作するときに解除防止手段の係止が解除されるように構成したので、使い勝手がよくなる。
【符号の説明】
【００６７】
１  掃除機本体、２  ホース差込口、２ａ  本体吸気口、２ｂ  筒部、３  蛇腹ホース、４  ホース差込部、５  ホース手元部、６  延長ホース部、７  延長パイプ、８  吸込具、９  サイクロン式集塵部（集塵ケース）、９ａ  吸引口、１０  集塵室、１１  第一の遠心分離筒、１２  中心軸Ａ、１３  第二の遠心分離筒、１４  中心軸Ｂ、１５  集塵ケース内集塵室、１６  ハンドル、１７  谷間、１８  被係止部Ａ、１９  係止部Ｂ、２０  送風室、２１  吸引ファンモータ、２２  面、３０  ロック部（ロック機構）、３１  レバー（解除手段）、３１ａ  上面、３１ｂ  下面、３１ｃ  斜面、３２  ラッチ、３２ａ  斜面、３２ｂ  斜面、３２ｃ  面、３３  ラッチ係止部、３３ａ  斜面、３３ｂ  面、３４  回転カバー（解除防止手段）、３４ａ  回転軸、３４ｂ  回転カバー用バネ（弾性体）、３４ｃ  先端部、３５  固定カバー、３５ａ  裏面、３５ｂ  表面、３６  ラッチ用バネ、３７  レバー用バネ、３８  スライドカバー（解除防止手段）、３８ａ  先端部、３８ｂ  上面、３８ｃ  底面、３９  カバー保持部、４０  スライドカバー用バネ（弾性体）、４１  回転カバー（解除防止手段）、４１ａ  仮固定片、４１ｂ  爪部、４２  固定カバー、４３  ラッチ、４３ａ  被係止部、１００  電気掃除機。
【図１】
2012157346.tif 000003
【図２】
2012157346.tif 000004
【図３】
2012157346.tif 000005
【図４】
2012157346.tif 000006
【図５】
2012157346.tif 000007
【図６】
2012157346.tif 000008
【図７】
2012157346.tif 000009
【図８】
2012157346.tif 000010
【図９】
2012157346.tif 000011
【図１０】
2012157346.tif 000012
【図１１】
2012157346.tif 000013
【図１２】
2012157346.tif 000014
【国際調査報告】
2012157346.tif 000015
2012157346.tif 000016